(57)【特許請求の範囲】
【請求項１】
多層光学システムを製造する方法であって、下記の工程：
a)重合性および／または重縮合性有機表面基を含むナノスケール無機固体粒子を含有する流動性組成物をガラス支持体へコーティングする工程；
b)固体粒子の表面基の重合および／または重縮合によって、有機架橋層を形成する工程；
c)先の有機架橋層と異なる屈折率を生じさせる重合性および／または重縮合性有機表面基を含むナノスケール無機固体粒子を含有する流動性組成物を、工程ｂ）の有機架橋層へ更にコーティングする工程；
d)工程ｃ）の流動性組成物の固体粒子の表面基の重合および／または重縮合によって、更なる有機架橋層を形成する工程；
e)所望ならば、既に存在する有機架橋層上および／または支持体の他の表面上の更なる有機架橋層の形成を伴う、工程c)およびd)の１回以上の繰返し；および
f)多層システムの１工程による熱的高密度化(densification)、および存在する有機成分のベーキングによる除去、
により特徴付けられる、方法であって、有機架橋層の形成が、50℃までの温度で行なわれることを特徴とする方法。
【請求項２】
有機架橋層の形成が、光化学的重合および／または重縮合によって行なわれることを特徴とする、請求項１に記載の方法。
【請求項３】
１工程の高密度化およびベーキングが、400〜800℃の範囲の温度で行なわれることを特徴とする、請求項１又は２に記載の方法。
【請求項４】
１工程の高密度化およびベーキングが、多層システムが外側から支持体の方向に内側に加熱されるように行なわれることを特徴とする、請求項１〜３のいずれか１つに記載の方法。
【請求項５】
層に関する加熱速度が少なくとも100K／分であることを特徴とする、請求項４に記載の方法。
【請求項６】
ナノスケール粒子が、金属化合物である請求項１〜５のいずれか１つに記載の方法。
【請求項７】
ナノスケール粒子が、SiO2、TiO2、ZrO2、ZnO、Ta2O5、SnO2およびAl2O3のもの、並びにそれらの混合物から選択されることを特徴とする、請求項１〜６のいずれか１つに記載の方法。
【請求項８】
重合性および／または重縮合性表面基が、(メト)アクリル、ビニル、アリルまたはエポキシ基を含む有機基から選択されることを特徴とする、請求項１〜７のいずれか１つに記載の方法。
【請求項９】
使用される固体粒子が、ナノスケール固体粒子の対応する表面基を用いた表面修飾によって製造されたものであることを特徴とする、請求項１〜８のいずれか１つに記載の方法。
【請求項１０】
使用される固体粒子が、対応する重合性／重縮合性基を含む少なくとも１種の化合物を用いて製造されたものであることを特徴とする、請求項１〜９のいずれか１つに記載の方法。
【請求項１１】
無機固体粒子が、ゾルゲル法によって製造されることを特徴とする、請求項１〜１０のいずれか１つに記載の方法。
【請求項１２】
コーティング組成物が、３〜８の範囲のpHを有することを特徴とする、請求項１〜１１のいずれか１つに記載の方法。
【請求項１３】
請求項１〜１２のいずれか１つに記載の方法によって得ることができる、多層光学システム。
【請求項１４】
請求項１３に記載の多層光学システムの、干渉フィルターまたは反射防止システムとしての使用方法。
【発明の詳細な説明】
【０００１】
本発明は、１工程ベーキング法("スタックベーキング(stack baking)")による多層光学システムを製造する方法に関する。
【０００２】
光学的効果を有する多層システムは、いわゆるゾルゲル法によってガラス上に製造され得る；例えば、Dislichら、DE 1941191を参照。この製造方法の原理は、対応するガラス支持体が浸漬法によってゾルでコートされ、高温で乾燥され、ベークされて高密度化(densification)を達成することである。＞100℃の温度で予め乾燥した後、浸漬により更なる層を塗布し、２層を１工程でベークすることも可能である。高温で予め乾燥することは、そうしなければ、新しいコーティングゾルによって部分的または全面的に溶解されるので、第１層に適切な化学的安定性を与えるために必要である。焼結によるそれぞれの個々の層の事前の高密度化なしに、複数の層で達成され得る層厚は、他の場合にはクラッキングが起こるので、約0.5μmである。加熱によって起こる収縮は、ストレス緩和によってもはや散逸され得ないので、クラッキングは、既に強力な３次元架橋の多孔性システムの結果として生じる。さらに、熱処理は、各層適用後および複数層の場合に必要であり、400-500℃の温度でのベーキングが必要になるので、該方法も複雑である。特殊な光学的適用(ブロードバンドの反射防止塗装、透熱的ミラーなど)に必要なものとしての多層システムの製造は、極めて労働密度が高く高価になる。
【０００３】
WO93/24424には、緩和メカニズムの組込みが、厚い層が充分に製造されるのを可能にすると示されているけれども、しかしながら、これらは、それらが四分の一波長の(λ／４)層の条件を満たさないので、光学的効果を達成するために使用され得ない。
【０００４】
本発明の目的は、可能な限り複雑な中間加熱工程を有さず、後で所望される光学的効果が生じるような、多層光学システムを製造することであった。
【０００５】
この目的は、本発明に従い、多層光学システムを製造する方法により達成され、該システムは下記の工程を包含する：
a)重合性および／または重縮合性有機表面基を含むナノスケール無機固体粒子を含有する流動性組成物のガラス支持体への適用；
b)有機架橋層の形成を伴う、固体粒子の表面基の重合および／または重縮合；
c)先の組成物に異なる屈折率を生じさせる、a)に従う更なる組成物の有機架橋層への適用；
d)更なる有機架橋層の形成を伴う、固体粒子の表面基の重合および／または重縮合；
e)所望ならば、既に存在する有機架橋層上および／または支持体の他の表面上の、更なる有機架橋層の形成を伴う、工程c)およびd)の１回以上の繰返し；および
f)多層システムの１工程による熱的高密度化、および存在する有機成分のベーキングによる除去。
【０００６】
重合性および／または重縮合性基でコートされたナノスケール粒子の使用は、例えば光重合を介して、非常に低温でも、化学的に安定な層を製造する可能性を生じ、このようにして、同方法により更なる層を適用する。本明細書では、全く驚くべきことに、これらの層が、10まで又はそれ以上の個々の層を有する層システムの場合であっても、クラッキングなしに高密度化され得ること、およびそれらの光学的効果が前もって正確に計算され得ることが見い出された。これは、それぞれのコーティングシステム中の無機成分の含量、適用される量(層厚)および最後の熱高密度化後に達成される屈折率によって与えられる。
【０００７】
本明細書および添付の請求の範囲において、用語「ナノスケール無機固体粒子」は、200nm以下の、好ましくは100nm以下の、特に70nm以下の平均粒度(平均粒径)を有する粒子を意味するようになっている。特に好ましい粒度範囲は、5〜50nmである。
【０００８】
ナノスケール無機固体粒子は、任意の所望の材料からなり得るが、好ましくは金属および特に金属化合物、例えば、ZnO、CdO、SiO2、TiO2、ZrO2、CeO2、SnO2、Al2O3、In2O3、La2O3、Fe2O3、Cu2O、Ta2O5、Nb2O5、V2O5、MoO3またはWO3のような「必要に応じて水和された」酸化物；例えば、硫化物(例えば、CdS、ZnS、PbSおよびAg2S)、セレン化物(例えば、GaSe、CdSeおよびZnSe)およびテルル化物(例えば、ZnTeまたはCdTe)のようなカルコゲニド、AgCl、AgBr、AgI、CuCl、CuBr、CdI2およびPbI2のようなハロゲン化物；CdC2またはSiCのような炭化物；AlAs、GaAsおよびGeAsのようなヒ化物；InSbのようなアンチモン化物；BN、AlN、Si3N4およびTi3N4のような窒化物；GaP、InP、Zn3P2およびCd3P2のようなホスファイド；ホスフェート、シリケート、ジルコネート、アルミネート、錫化物および対応する混合酸化物(例えば、BaTiO3およびPbTiO3のようなペロブスカイト型構造を有するもの)からなり得る。
【０００９】
本発明に従う方法で使用されるナノスケール無機固体粒子は、好ましくは、金属の酸化物、硫化物、セレン化物およびテルル化物、ならびにそれらの混合物である。本発明に従うと、特に好ましいのは、SiO2、TiO2、ZrO2、ZnO、Ta2O5、SnO2およびAl2O3(全ての修飾において、特にベーマイトとしてAlO(OH))のナノスケール粒子、ならびにそれらの混合物である。
【００１０】
本発明に従い使用され得るナノスケール粒子は、広い範囲の屈折率をカバーするので、層(単一または複数)の屈折率は、これらのナノスケール粒子の好適な選択により、好ましい様式で所望の数値にセットされ得る。
【００１１】
本発明に従い使用されるナノスケール固体粒子は、慣用されている様式で、例えば、火炎熱分解、プラズマ法、気相縮合法、コロイド法、沈殿法、ゾルゲル法、制御された核形成および成長法、MOCVD法および(ミクロ)エマルション法によって製造され得る。これらの方法は、文献に詳細に記載されている。特に、例えば、金属(例えば、沈殿法での還元の後に)、セラミックオキシド・システム(溶液からの沈殿による)、さらに塩様または多成分システムを使用することが可能である。塩様または多成分システムは、半導体システムも含む。
【００１２】
本発明に従い使用される重合性および／または重縮合性有機表面基を備えたナノスケール無機固体粒子の製造は、原理的に２つの方法によって、つまり、第１に、予め製造されたナノスケール無機固体粒子の表面修飾により、第２に、このタイプの重合性および／または重縮合性基を含む１種以上の化合物を用いて、これらの無機ナノスケール固体粒子の製造により、行なわれ得る。これらの２つの方法は、以下および実施例に、より詳細に記載されている。
【００１３】
有機の重合性および／または重縮合性表面基は、フリーラジカル、カチオン性またはアニオン性、熱的または光化学的重合あるいは熱的または光化学的重縮合(必要な場合、好適な開始剤または触媒の存在下に)を受けることが可能である、当業者に公知の任意の所望の基であり得る。本発明に従うと、好ましいのは、(メト)アクリル、アリル、ビニルまたはエポキシ基を含む表面基であり、特に好ましいのは、(メト)アクリルおよびエポキシ基である。重縮合を受け得る基の場合、特に、ヒドロキシル、カルボキシルおよびアミノ基が言及されるべきであり、それらの援助により、ナノスケール粒子間のエーテル、エステルおよびアミド結合を得ることができる。
【００１４】
基が重合性および／または重縮合性基を含むナノスケール粒子の表面上に存在する有機基が、比較的小さい分子量を有することも、本発明に従うと、好ましい。特に、(純粋に有機)基の分子量は、500を、好ましくは300を、特に好ましくは200を超えるべきでない。勿論、これは、これらの基を含む化合物(分子)の有意により高い分子量(例えば、1000以上)を排除しない。
【００１５】
既に先に述べたように、重合性／重縮合性表面基は、原理的に、２つの方法によって提供され得る。予め製造されたナノスケール粒子の表面修飾が行なわれるならば、この目的に好適な化合物は、第１に、ナノスケール固体粒子の表面上に存在する官能基(例えば、酸化物の場合のOH基のような)と反応または少なくとも相互作用し得る１種以上の基を有する、および第２に、少なくとも１つの重合性／重縮合性基を有する、全ての(好ましくは、低分子量)化合物である。従って、対応する化合物は、例えば、ナノスケール固体粒子の表面と共有結合およびイオン結合(塩様)または配位結合(錯体)を形成し得るが、実施例により言及され得る純粋な相互作用は、双極子-双極子相互作用、水素架橋およびファンデルワールス相互作用である。共有結合および／または配位結合の形成が、好ましい。ナノスケール無機固体粒子の表面修飾に使用され得る有機化合物の具体例は、重合性二重結合を含むアクリル酸およびメタクリル酸のような不飽和カルボン酸、β-ジカルボニル化合物(例えば、β-ジケトンまたはβ-カルボニルカルボン酸)、エチレン性不飽和アルコールおよびアミン、アミノ酸、エポキシドなどである。本発明に従い特に好ましいこのタイプの化合物は、特に酸化物粒子の場合、重合性炭素-炭素二重結合またはエポキシド環を含む少なくとも(および好ましくは)１種の非加水分解性基を含有する加水分解縮合性シランである。このタイプのシランは、好ましくは一般式(I)：
X-R1-SiR23         (I)
[式中、
Xは、CH2=CR3-COO、CH2=CHまたはグリシジルオキシであり、R3は、水素またはメチルであり、R1は、必要に応じて、互いに隣接する炭素原子を分離する１種以上のヘテロ原子基(例えば、O、SまたはNH)を含む、1〜10個の、好ましくは1〜6個の炭素原子を有する二価の炭化水素基であり、および基R2は、同一または互いに異なって、アルコキシ、アリールオキシ、アシルオキシおよびアルキルカルボニル基およびハロゲン原子(特に、F、Clおよび／またはBr)から選択される]を有する。
【００１６】
基R2は、好ましくは同一であり、ハロゲン原子、C1-4-アルコキシ基(例えば、メトキシ、エトキシ、n-プロポキシ、i-プロポキシおよびブトキシ)、C6-10アリールオキシ基(例えば、フェノキシ)、C1-4-アシルオキシ基(例えば、アセトキシおよびプロピオニルオキシ)およびC2-10-アルキルカルボニル基(例えば、アセチル)から選択される。
【００１７】
特に好ましい基R2は、C1-4-アルコキシ基であり、特に、メトキシおよびエトキシである。
【００１８】
基R1は、好ましくは、アルキレン基であり、特に、例えば、エチレン、プロピレン、ブチレンまたはヘキシレンのような１〜６炭素原子を有するものである。XがCH2=CHである場合、R1は、好ましくはメチレンであり、この場合には、単結合でもあり得る。
【００１９】
Xは、好ましくは、CH2=CR3-COO(ここで、R3は、好ましくはCH3である)またはグリシジルオキシである。従って、一般式(I)の特に好ましいシランは、例えば、3-メタクリロイルオキシプロピルトリメトキシシラン、3-メタクリロイルオキシプロピルトリエトキシシランのような(メタ)アクリロイルオキシアルキルトリアルコキシシラン、および例えば、3-グリシジルオキシプロピルトリメトキシシラン、3-グリシジルオキシプロピルトリエトキシシランのようなグリシジルオキシアルキルトリアルコキシシランである。
【００２０】
ナノスケール無機固体粒子が、重合性／重縮合性基を含む１種以上の化合物を用いて既に製造されていた場合、次の表面修飾は、省略され得る(これは、勿論さらなる手段として可能であるけれども)。
【００２１】
重合性／重縮合性表面基を含むナノスケール無機固体粒子のin-situ製造は、下記で、SiO2粒子の実施例を用いて説明される。この目的のために、SiO2粒子は、例えば、少なくとも１種の重合性／重縮合性基を含む少なくとも１種の加水分解重縮合性シランを用いて、ゾルゲル法によって製造され得る。このタイプの好適なシランは、例えば、既に先に記載された一般式(I)のシランである。これらのシランは、好ましくは、単独で又は一般式(II)：
SiR24            (II)
[式中、R2は、上記のように定義される]の好適なシランと組合せて、使用される。上記の一般式(II)の好ましいシランは、テトラメトキシシランおよびテトラエトキシシランである。
【００２２】
一般式(II)のシランに加えて又は代替物として、他のシラン、例えば、メチル-またはフェニルトリアルコキシシランのような、いかなる官能基も含まない(非加水分解性の)炭化水素基を含むものを使用することも、勿論可能である。
【００２３】
本発明に従う方法で使用される組成物は、いまだ流動性である材料の形態(懸濁液)である。この材料の液体成分は、例えば、水および／または(好ましくは、水混和性)有機溶媒および／または化合物から構成され、それはナノスケール粒子の製造またはそれらの表面修飾の間に使用または形成された(例えば、アルコキシシランの場合のアルコール)ものである。更に使用される任意の好適な有機溶媒は、例えば、アルコール、エーテル、ケトン、エステル、アミドなどである。しかしながら、流動性材料の(更なる)成分は、例えば、ナノスケール粒子の表面に存在する重合性／重縮合性基と反応(重合または重縮合)し得る少なくとも１種の基を含む、少なくとも１種のモノマーまたはオリゴマー種でもあり得る。言及され得るそのような種の例は、例えば、アクリレート、メタクリレート、スチレン、酢酸ビニルおよび塩化ビニルのような、重合性二重結合を含むモノマーである。１を超える重合性結合を含む好ましいモノマー化合物は、特に、一般式(III)；
(CH2=CR3-COZ-)n-A           (III)
[式中、
n=2、3または4、好ましくは2または3、特に2；
Z=OまたはNH、好ましくはO；
R3=HまたはCH3；
A=2〜30個の、特に2〜20個の炭素原子を有するn価の炭化水素基、それは１種以上のヘテロ原子基を含み得、それぞれ２つの隣接する炭素原子間に位置している（そのようなヘテロ原子基の例は、O、S、NH、NR(R=炭化水素基)、好ましくはOである）]のものである。
【００２４】
炭化水素基Aは、さらに１種以上の置換基を含み得、該置換基は、好ましくは、ハロゲン(特に、F、Clおよび／またはBr)、アルコキシ(特に、C1-4-アルコキシ)、ヒドロキシル、必要に応じて置換されたアミノ、NO2、OCOR5、COR5(R5=C1-6-アルキルまたはフェニル)から選択される。しかしながら、基Aは、好ましくは非置換であるか、或いはハロゲンおよび／またはヒドロキシルで置換されている。
【００２５】
本発明の１つの実施態様では、Aは、脂肪族ジオール、アルキレングリコール、ポリアルキレングリコールまたは必要に応じてアルコキシ化された(例えば、エトキシ化)ビスフェノール(例えば、ビスフェノールA)から誘導される。
【００２６】
１を超える二重結合を含む他の好適な化合物は、例えば、アリル(メト)アクリレート、ジビニルベンゼンおよびジアリルフタレートである。同様に、例えば、２以上のエポキシド基を含む化合物(エポキシド含有表面基の使用の場合)、例えば、ビスフェノールAジグリシジルエーテルまたは或いは、エポキシド基を含有する加水分解性シランの(オリゴマー性)プレ縮合物(例えば、グリシドキシプロピルトリメトキシシラン)を使用することが可能である。
【００２７】
本発明に従い使用されるコーティング組成物中の有機成分の割合は、好ましくは、固形分含量に基づき、20重量％以下である。それは、例えば、高い屈折率の層に関しては5重量％であり、例えば、低い屈折率の層に関しては15重量％であり得る。
【００２８】
本発明に従い使用されるコーティング組成物は、≧３の、特に好ましくは≧４のpHを有する。一般に、pHは、中性領域において、約８まで、好ましくは約7.5までである。
【００２９】
本発明に従う方法の工程a)では、コーティング組成物をガラス支持体に適用して、これを全面的または部分的にコートする。この目的に好適であるコーティング方法は、当業者に公知の慣用されている方法である。その例は、浸漬、スプレー、ナイフ塗布、スプレッディング、はけ塗り又はスピンコーティングである。
【００３０】
支持体に適用する前に、流動性材料は、例えば、溶媒の添加または揮発性成分(特に、既に存在する溶媒)の蒸発によって、好適な粘度にセットされ得る。
【００３１】
流動性材料の適用前に、支持体は、必要な場合、前処理(例えば、洗浄、脱脂など)に供され得る。
【００３２】
本発明に従う方法の工程b)では、ナノスケール無機固体粒子の重合性／重縮合性表面基(および、適切な場合、更に使用されるモノマーまたはオリゴマー種の重合性／重縮合性基)の重合および／または重縮合が、行われる。この重合／重縮合は、当業者に慣用されている様式で行われ得る。好適な方法の例は、熱的、光化学的(例えば、UV照射を用いて)、電子ビーム硬化、レーザー硬化、室温硬化などである。必要な場合、このタイプの重合／重縮合は、好適な触媒または開始剤の存在下に行われ、それは、支持体にそれを適用する直前に、一番最後に、流動性材料に加えられる。
【００３３】
好適な開始剤／開始剤システムは、当業者に公知の全ての慣用されている開始剤／開始剤システムであり、フリーラジカル光開始剤、フリーラジカル熱開始剤、カチオン性光開始剤、カチオン性熱開始剤および任意のそれらの組合せを含む。
【００３４】
使用され得るフリーラジカル光開始剤の具体例は、Irgacure(登録商標)184(1-ヒドロキシシクロヘキシルフェニルケトン)、Irgacure(登録商標)500(1-ヒドロキシシクロヘキシルフェニルケトン、ベンゾフェノン)、およびCiba-Geigy社から入手されるIrgacure(登録商標)タイプの他の光開始剤；Darocur(登録商標)1173、1116、1398、1174および1020(Merck社から入手される)；ベンゾフェノン、2-クロロチオキサントン、2-メチルチオキサントン、2-イソプロピルチオキサントン、ベンゾイン、4,4'-ジメトキシベンゾイン、ベンゾインエチルエーテル、ベンゾインイソプロピルエーテル、ベンジルジメチルケタール、1,1,1-トリクロロアセトフェノン、ジエトキシアセトフェノンおよびジベンゾスベロンである。
【００３５】
フリーラジカル熱開始剤の例は、就中、ジアシルペルオキシド、ペルオキシジカーボネート、アルキルペルエステル、アルキルペルオキシド、ペルケタール、ケトンペルオキシドおよびアルキルヒドロペルオキシドの形態である有機ペルオキシド、並びにアゾ化合物である。本明細書で言及され得る具体例は、特に、ジベンゾイルペルオキシド、tert-ブチルペルベンゾエートおよびアゾビスイソブチロニトリルである。
【００３６】
カチオン性光開始剤の例は、Cyracure(登録商標)UVI-6974であるが、好ましいカチオン性熱開始剤は、1-メチルイミダゾールである。
【００３７】
これらの開始剤は、当業者に公知の通常の量で使用される(コーティング組成物のトータル固形分含量に基づき、好ましくは0.01-5重量％、特に0.1-2重量％）。特定の状況では、例えば、電子ビームまたはレーザー硬化の場合には、開始剤を完全に不要にすることも勿論可能である。
【００３８】
本発明による方法の工程b)の重合/重縮合は、好ましくは、熱または照射(特に、UV光を用いて)により為される。特に好ましいのは、光化学的な重合/重縮合または熱および光化学的な重合/重縮合の組合せである。
【００３９】
重合/重縮合に先んじて、支持体に適用された層から、更なる揮発性の非重合性/非重縮合性化合物が除去され得る。しかしながら、揮発性成分の該除去は、代替的または付加的に、重合/重縮合の段階またはその後に、それぞれ行われ得る。
【００４０】
下記で、本発明による代表的な方法が、実施例により概説され、所与の数値範囲および手順は、使用される特定の材料に関係なく一般的な有効性を有する。
【００４１】
例えば、SiO2、TiO2、ZrO2または他の酸化物または硫化物材料のナノスケール粒子(粒度30-100 nm、好ましくは40-70 nm)は、溶媒中に(例えば、メタノール、エタノール、またはプロパノールのような低級アルコール中に)1〜20重量％、好ましくは5〜15重量％の濃度で分散され、重合性/重縮合性基を含む表面修飾剤は、(トータル固形分含量に基づき)好ましくは2〜25重量％、特に4〜15重量％の量で添加される。例えば、シランの使用の場合、表面修飾は、室温で数時間攪拌することによって為され得る。その後で、所望ならば、重合性/重縮合性基を含む、該表面修飾剤および表面基と相溶性のモノマー性またはオリゴマー性材料が、（トータル固形分含量に基づき）20重量％まで、好ましくは4〜15重量％の量で添加され得る。
【００４２】
溶媒を添加または除去して粘度を調節した後、１種以上の好適な開始剤(トータル固形分含量に基づき、例えば、0.01〜5重量％それぞれの量で)、および所望ならば他の慣用されている添加剤を、加える。
【００４３】
続いて、層厚が、50〜200nm、好ましくは100〜150nmの範囲で達成されるように、所望の屈折率および適用領域に応じて適用速度を一般に選択しながら、コーティング組成物を支持体に塗布する。
【００４４】
その後の重合／重縮合(架橋)を比較的低温で、好ましくは10〜50℃の、特に10〜30℃の範囲の温度、特に好ましくは室温で行なう。
【００４５】
反応時間を最小にするために、好ましくは光重合を行なう；この場合、任意の所望の光源、特にUV光放出源(例えば、水銀ランプ、キセノンランプ、レーザー光など)が、使用され得る。
【００４６】
所望の多層システムが得られるまで、１種以上の更なる層を、記載された様式で、得られた有機架橋層に適用する。最終(最外)層の場合、別の架橋工程はもはや必要でないが、その代わり、これは、後続のシーリングおよびベーキング工程f)で直接に起こり得る。
【００４７】
工程f)では、多層システムは、400〜800℃の、好ましくは400〜600℃の、特に400〜500℃の温度で、例えば、１分〜１時間この温度を保ちながら加熱される。有機(炭素含有)成分の完全な除去は、クラッキングまたは他の欠陥が起こることなく、このようにして行なわれる。
【００４８】
この目的のために、工程f)における高密度化およびベーキングは、多層システムが外側から支持体の方向に内側に加熱されるように行われるのが好ましい。これは、システムの内部に存在する有機成分が、予備加熱された外層を通して逃げるのを可能にする。同じ理由から、層は、好ましくは、少なくとも100K/分の加熱速度で加熱される。
【００４９】
本発明に従い製造される多層光学システムは、例えば、下記の用途のための干渉および反射防止システムとして、好適である：
光学フィルター：メガネ産業、ディスプレー、ディスプレースクリーン、半導体レーザー、マイクロレンズコーティング、太陽電池、損傷耐性レーザー層、バンドパスフィルター、反射防止フィルター、吸収フィルターおよびビームスプリッターの領域における反射防止および反射フィルター。
【００５０】
ホログラフィック層：光偏向システム(light deflection system)、情報蓄積、レーザーカップラー、導波管、装飾および建築。
【００５１】
エンボス層：ブルームシステム、検出器分野におけるフォーカシング、フラットパネルディスプレースクリーンの照明、フォトコピア中の画像、ファイバーオプチックス(光誘導)。
【００５２】
リソグラフィー：導波管、格子、ピンホール、回折格子(点格子)のような微小光学エレメントの製造、およびディスプレー技術、ファイバーチップカップリング、および画像化オプチックスの領域。
【００５３】
下記の実施例は、本発明の更なる説明に寄与し、限定的特徴を有しない。
【００５４】
コーティングゾルの調製
実施例１
高屈折率の層を製造するためのゾルの合成
100gのイソプロパノールを、18gのメタクリル酸および1.348gの二重蒸留H2Oと混合する。混合物を10分間攪拌した後、13.813gのテトライソプロピルオルトチタネートを、攪拌しながらゆっくり滴下する。混合物を、15分間攪拌した後、10gの2-イソプロポキシエタノールを加える。その後、混合物を、25℃で24時間攪拌する。表面修飾されたTiO2ナノ粒子の透明な凝集物を含まないゾルが得られる。
【００５５】
0.08gのIrgacure184(Ciba-Geigy)および0.02gの1-メチルイミダゾールをゾルに加える；激しく攪拌後、混合物を濾過し、続いて、コーティング材料として使用され得る。
【００５６】
実施例２
低屈折率の層を製造するためのゾルの合成
31.388gのTEOSを、20.264gのエタノールと混合する。並行して、20.264gのエタノール、0.9mlの4M HClおよび22.275gの二重蒸留H2Oを混合する。次に、２つの混合物を合せる。TEOSゾルは、約10分後に使用され得る。12.1gのメタクリル酸を、攪拌しながら加える。続いて、反応混合物を、25℃で２時間攪拌する。表面修飾されたSiO2ナノ粒子の透明な凝集物を含まないゾルが得られる。
【００５７】
２つのゾルを、SiO2またはTiO2の所望の固形分含量に従い混合し、イソプロパノールを用いて希釈をセットする。さらに、トータル重量の0.45%の流動調節剤(Byk 306)を混合物に加える。0.08gのIrgacure184(Ciba-Geigy)および0.02gの1-メチルイミダゾールを、ゾルに加える。激しく攪拌後、混合物を濾過し、続いて、コーティング材料として使用され得る。
【００５８】
実施例３
高屈折率の層を製造するためのゾルの合成
0.663gのリン酸トリブチルを、実施例１に記載されるように調製された28.95gのTiO2ゾルに加え、混合物を３時間攪拌する。その後、30gの2-イソプロポキシエタノール中、0.4gの蒸留したγ-グリシジルプロピルトリメトキシシラン(GPTS)溶液を、該ゾルに100℃で滴下する。１時間後、バッチを室温に冷却し、0.3gの加水分解されたGPTSを加える。GPTS加水分解を行なうために、2.70gの0.1N HCl溶液を23.63gのGPTS(蒸留)に加え、混合物を24時間攪拌する。続いて、低分子量反応産物を、3mbar、25℃で蒸留して除去する。混合物を15分間攪拌した後、バッチを3mbarの減圧下に蒸留し、その後、120gの2-イソプロポキシエタノールで希釈する。透明な凝集物を含まないゾルが得られる。
【００５９】
実施例４
低屈折率の層を製造するためのゾルの合成
0.96gの0.1N HCl溶液を、11.81gのGPTS(蒸留)および4.15gのテトラエトキシシラン(TEOS)の混合物に、加水分解および縮合のために加える。続いて、反応混合物を、20℃で24時間攪拌し、その後、低分子量成分を3mbarで真空蒸留で除去する。その後、残った反応生成物を、溶媒として22gのイソプロポキシエタノールで希釈する。0.08gのIrgacure184(Ciba-Geigy)および0.02gの1-メチルイミダゾールを、ゾルに加える。激しく攪拌後、混合物を濾過し、その後、コーティング材料として使用され得る。
【００６０】
干渉層パッケージの製造
実施例５
ガラス上での２層の反射防止コーティング(四分の一波長TiO2および四分の一波長SiO2)の製造
ガラスのシートを清浄にし、続いて、実施例１からのゾルを用い浸漬コーティング(引張り速度2.5mm/s)でコートし、その後、ベルト速度2m/分および450mW/cm2のUV照射力のUVドライヤー(Belltron)により乾燥する。その後、シートを、実施例２からのゾルを用い、引張り速度3.2mm/sで浸漬コートする。
【００６１】
続いて、二重コートされたシートを、450℃で予熱したオーブンに直接入れ、そこに10分間放置する。最後に、シートをオーブンから取り除き、空気中で室温に冷却する。シートは、図１に示される反射スペクトルを有する反射防止コーティングを有する。波長560nmで反射最小値０％を有するVフィルターが、明らかである。
【００６２】
実施例６
ガラス上での３層の反射防止コーティングの製造
実施例１からのコーティングゾルを、実施例２からのコーティングゾルと、重量(固形分)比1:0.7%で激しく混合する。ガラスのシートを、このゾル混合物を用いて、引張り速度2.7mm/sで浸漬法によりコートし、実施例５と同様にUV光で硬化する。第２層に関するコーティングゾルを調製するために、実施例１からのゾルと重量(固形分)比1:0.85%で混合し、続いて、シートを引張り速度2.85mm/sで浸漬コートし、その後、実施例５と同様にUV光を用い硬化する。次の工程で、シートを、実施例２からのゾルを用いて、引張り速度3.6mm/sで浸漬コートする。
【００６３】
続いて、三重コートされたシートを、450℃に予熱されたオーブンに直接入れ、そこに10分間放置する。最後に、シートをオーブンから取り除き、空気中で室温に冷却する。シートは、今や、図２に示される反射スペクトルを有する反射防止コーティングを有する。UVにさらした後の反射スペクトルが、3-層構造に代表的であるWフィルター形を有することが見られ得る。１工程ベーキングは、380〜610nmのスペクトル領域を通して、残留反射≦2％の反射最小値を生じる。450〜560nmの範囲では、反射は、１％未満であり、および０％反射は500nmで達成される。測定された曲線は、シミュレーションにより計算された曲線と非常に良く一致する。
【００６４】
実施例７
５層の反射防止コーティングの製造
ガラスのシートを通常の方法で清浄にし、先ず実施例１からのゾルを用いて、引張り速度1.2mm/sで浸漬コートし、そして直ちに、(実施例５と同様に)UVを用いて硬化する。続いて、シートを、実施例２からのゾルを用い引張り速度2.45mm/sで浸漬コートし、再度UVにより硬化する。次に、シートを、実施例１からのゾルを用い引張り速度1.2mm/sで浸漬コートし、UVで硬化する。続いて、シートを、実施例２からのゾルを用い、引張り速度2.45mm/sで浸漬コートする。次に、実施例１からのゾルによるコーティングを、引張り速度1.2mm/sで再度適用する。
【００６５】
次に、五重コートされたシートを、450℃に予熱したオーブンに直接に入れ、そこに10分間放置する。最後に、シートをオーブンから取り除き、空気中で室温に冷却する。シートは、それぞれの側に５つの個々の層を有する干渉フィルターを示し、図３に示される透過スペクトルを有する。620nm〜900nmの範囲の波長に関するバンドパスフィルターが、明らかである。
【図面の簡単な説明】
【図１】  反射スペクトルを示す。
【図２】  反射スペクトルを示す。
【図３】  透過スペクトルを示す。
【図１】
0004310602.tif 000002
【図２】
0004310602.tif 000003
【図３】
0004310602.tif 000004